(57)【要約】【課題】一つの道具で正確・迅速かつ簡単に寸法を確認できる寸法検査治具を提供することである。【解決手段】寸法検査治具１は、直線状の定規本体２と、巻取り手段で定規本体２内に巻き取られるとともに、該定規本体の先端部から引き出される巻き尺テープ３と、定規本体の一端部の下方向に突設された大段差確認突起４と、定規本体２の他端部の横方向に突設された小段差確認突起５と、定規本体２の側面に沿って収納され、かつ一端部を中心に回転するスケール６と、定規本体の上面および側面に設けた水準測定器７とからなる。【選択図】　　図１
2004125656.tif 000002
【特許請求の範囲】
【請求項１】
直線状の定規本体と、巻取り手段で定規本体内に巻き取られるとともに、該定規本体の先端部から引き出される巻き尺テープと、定規本体の一端部の下方向に突設された大段差確認突起と、定規本体の他端部の横方向に突設された小段差確認突起と、定規本体の側面に沿って収納され、かつ一端部を中心に回転するスケールと、定規本体の上面および側面に設けた水準測定器とからなることを特徴とする寸法検査治具。
【発明の詳細な説明】
【０００１】
【発明の属する技術分野】
本発明は寸法検査治具に関するものである。
【０００２】
【従来の技術】
一般住宅およびマンションの「住宅品確法」の適用物件において、仕上げ寸法の事前確認および本検査時の該当部位の寸法確認が必要になる。この寸法を確認するには、従来はコンベックスや特開平１１−２０１７０１号公報の長さ測定具が用いられていた。
【０００３】
【発明が解決しようとする課題】
しかし、上記のコンベックスなどによる寸法確認には下記のような問題があった。
（１）床段差における水平・垂直の測定には精度が欠けていた。
（２）床段差の寸法確認には這いつくばらなけらばならなかった。
（３）上記（２）の状態での複数の立会い者の寸法確認が困難であった。
（４）高い寸法精度を出すために各種の検査道具を必要とした。
【０００４】
本発明はこれらの問題に鑑みてなされたものであり、その目的は、一つの道具で正確・迅速かつ簡単に寸法を確認できる寸法検査治具を提供することである。
【０００５】
【課題を解決するための手段】
以上の課題を解決するための寸法検査治具の要旨は、直線状の定規本体と、巻取り手段で定規本体内に巻き取られるとともに、該定規本体の先端部から引き出される巻き尺テープと、定規本体の側面に沿って収納され、かつ一端部を中心に回転するスケールと、定規本体の一端部の下方向に突設された大段差確認突起と、定規本体の他端部の横方向に突設された小段差確認突起と、定規本体の上面および側面に設けた水準測定器とからなることを特徴とする。
【０００６】
大小の段差確認突起により床段差を確実・迅速かつ簡単に測定することができる。またバルコニー側に定規本体を立てるとともに、９０゜回転させたスケールを窓枠における敷居の上に載せることにより、バルコニーのまたぎ高さを確実・迅速かつ簡単に測定することができる。室内通路などの有効寸法を定規本体から引き出した巻き尺テープで確実・迅速かつ簡単に測定することができる。
【０００７】
【発明の実施の形態】
以下、本発明の寸法検査治具の実施の形態を図面に基づいて詳細に説明する。本願発明の寸法検査治具は一般住宅やマンションなどの完成後の寸法の確認、特に「住宅品確法」適用物件において、仕上げ寸法の事前確認および本検査時における該当部位の寸法確認などに用いるものである。
【０００８】
寸法検査治具１は、図１に示すように、スチール製の定規本体２と、この定規本体２内に巻き取り収納されるとともに、その先端部から引き出されるスチール製の巻き尺テープ３と、定規本体２の端部に突設された大小の段差確認突起４、５と、定規本体２の側面に沿って収納されたスケール６と、定規本体２の上面および側面に設けた水準測定器７とから構成されている。
【０００９】
定規本体２は長尺の中空の箱状に形成され、その内部の巻き取り器８に巻き尺テープ３が巻き取られるとともに、巻き尺テープ３の先端部が定規本体２の先端部から突出している。よって、この先端部を引っ張ると定規本体２から巻き尺テープ３が引き出され、この引き出しがテープ収納部９のストッパ１０でロックされ、このロックを解除すると、さらに引き出すことができるか、あるいは巻き取られるかになっている。
【００１０】
また定規本体２の後端部には、小段差確認突起５よりも長い大段差確認突起４が下方向に突設され、この大段差確認突起４の側面または後面には目盛り１１が刻まれている。一方、定規本体２の先端部には小段差確認突起５が横方向に突設され、この小段差確認突起５の上面にも目盛り１１が刻まれている。なお、どのような段差の測定にも対応させるために、これらの大小の段差確認突起４、５を出没自在な突起４ａ、５ａで伸縮自在にすることもできる（図４参照）。
【００１１】
また定規本体２の側面に沿った収納溝１２にはスチール製のスケール６が収納され、端部を中心に回転可能となっている。このスケール６の表面にも目盛り１１が刻まれ、不使用時には収納溝１２に収納され、使用時には９０゜回転して幅や高さの測定ができるようになっている。
【００１２】
また定規本体２の上面および側面には水平精度を確認するための水準測定器７が埋設され、そのレベルがマニュアルまたはデジタル方式で表示されるようになっている。
【００１３】
また図５は寸法検査治具１の使用方法を示したものである。このうち（１）に示したものは、大段差確認突起４によって沓摺り１３による一方側の床段差１４を確認したものであり、定規本体２の下面を沓摺り１３の上に載せると、その段差１４が後面に刻まれた目盛り１１よって正確・迅速かつ簡単に確認できる。
【００１４】
また同図の（２）は、小段差確認突起５によって沓摺り１３による他方側の床段差１４を確認したものであり、定規本体２の側面を沓摺り１３の上に載せると、その段差１４が後面に刻まれた目盛り１１よって正確・迅速かつ簡単に確認できる。
【００１５】
また同図の（３）はバルコニー１５のまたぎ高さ１６を確認したものであり、定規本体２をバルコニー１５側に立てるとともに、スケール６を９０゜回転させて窓枠における敷居１７の上に載せると、その高さ１６が確実・迅速かつ簡単に確認できる。
【００１６】
さらに同図の（４）は室内通路１８の有効寸法１９を確認したものであり、定規本体２から引き出した巻き尺テープ３で、その寸法１９が確実・迅速かつ簡単に確認できる。
【００１７】
なお、寸法検査治具１は、その他の寸法、段差および水平精度などを確認または測定することもできる。
【００１８】
【発明の効果】
一つの寸法検査治具によって、建物の完成後の寸法、段差および水平精度などを正確・迅速かつ簡単に確認できる。また、検査を立会人が同時に確認することができる。
【図面の簡単な説明】
【図１】寸法検査治具の斜視図である。
【図２】寸法検査治具の平面図である。
【図３】寸法検査治具の側面図である。
【図４】他の寸法検査治具の斜視図である。
【図５】（１）〜（４）は寸法検査治具の使用方法を示す図である。
【符号の説明】
１　寸法検査治具
２　定規本体
３　巻き尺テープ
４　大段差確認突起
５　小段差確認突起
４ａ、５ａ　出没自在な突起
６　スケール
７　水準測定器
８　巻き取り器
９　テープ収納部
１０　ストッパ
１１　目盛り
１２　収納溝
１３　沓摺り
１４　床段差
１５　バルコニー
１６　またぎ高さ
１７　敷居
１８　室内通路
１９　有効寸法
【図１】
2004125656.tif 000003
【図２】
2004125656.tif 000004
【図３】
2004125656.tif 000005
【図４】
2004125656.tif 000006
【図５】
2004125656.tif 000007